(57)【要約】      （修正有）【課題】機能水水栓を有する洗面化粧台において、機能水の流量が少ない場合であっても、除菌対象部位に対して満遍なく機能水を供給できることを可能とする洗面化粧台を提供する。【解決手段】機能水水栓１を有する洗面化粧台５であって、ボウル部３と上方側に突出している突出部を有する排水蓋とを備え、機能水水栓１は、突出部に向かって吐水することを特徴とする。【選択図】図８
2017082475.tif 000002
【特許請求の範囲】
【請求項１】
ボウル部と
前記ボウル部に設けられる排水口と、
前記排水口を開閉する排水蓋と、
除菌機能を有する機能水を吐水可能な機能水吐水部を有する機能水水栓と、を備えた洗面化粧台であって、
前記排水蓋は、前記排水蓋の上面が上方に突出する突出部と、前記突出部から外方に向かうにつれて下方に傾斜するよう構成され、
前記機能水吐水部は、前記突出部に向かって吐水することを特徴とする洗面化粧台。
【請求項２】
前記排水口にはフランジが取り付けられており、
前記排水蓋の外周である排水蓋外周部は、前記フランジの外周であるフランジ外周部よりも大きいことを特徴とする請求項１に記載の洗面化粧台。
【請求項３】
前記機能水吐水部は、前記突出部の中で最も上方に位置する突出部頂点に向かって吐水することを特徴とする請求項２に記載の洗面化粧台。
【請求項４】
前記機能水吐水部は、前記機能水吐水部から所定角度にて広がっていくように水滴を噴射することを特徴とする請求項３に記載の洗面化粧台。
【発明の詳細な説明】
【技術分野】
【０００１】
本発明は、洗面化粧台に係り、特に機能水を吐出可能な機能水水栓を有する洗面化粧台に関する発明である。
【背景技術】
【０００２】
従来から、除菌機能を有する電解水などの機能水を吐水可能な機能水水栓を有する洗面化粧台が知られている。特許文献１には、上記のような機能水を吐水することが可能な機能水水栓を有する手洗器が開示されている。
【先行技術文献】
【特許文献】
【０００３】
【特許文献１】特開２０１２−８１４４９
【発明の概要】
【発明が解決しようとする課題】
【０００４】
機能水を吐水する機能水水栓を有する洗面化粧台において、上記特許文献１のような飲用に不適な機能水を吐水する機能水水栓を設けてしまうと、飲用水と機能水との区別がつかず、使用者が誤って機能水を飲んでしまう恐れがある。そのため、極力機能水水栓から吐水される機能水の流量は少なくすることが好ましい。さらに、機能水の流量を少なくすることは、誤飲に加えて、節水効果があり地球環境にも優しいものである。
【０００５】
しかしながら、機能水の流量を少なくしてしまうと、対象部位に機能水が着水後に機能水が広がらず、一定の領域のみ機能水が通過し除菌ムラが発生してしまう。
【０００６】
本発明は、上記問題を解決するためになされたもので、本発明の課題は、機能水水栓を有する洗面化粧台において、機能水の流量が少ない場合であっても、除菌対象部位に対して満遍なく機能水を供給できることを可能とする洗面化粧台を提供するものである。
【課題を解決するための手段】
【０００７】
上記目的を達成するための本発明においては、ボウル部と前記ボウル部に設けられる排水口と、前記排水口を開閉する排水蓋と、除菌機能を有する機能水を吐水可能な機能水吐水部を有する機能水水栓と、を備えた洗面化粧台であって、前記排水蓋は、前記排水蓋の上面が上方に突出する突出部と、前記突出部から外方に向かうにつれて下方に傾斜するよう構成され、前記機能水吐水部は、前記突出部に向かって吐水することを特徴とする。このような本発明によれば、洗面化粧台で手洗いやうがいを行ったあと、手洗いやうがいで飛散した水がボウル部に存在してしまうと菌が繁殖してしまう、特に水が集中的に集まる排水口周辺は菌の繁殖が顕著となり、少量の機能水で除菌しようとすると一部の領域のみしか機能水が通過できずに排水口の全周を除菌することができないが、排水蓋を突出部と突出部から外周に向かって下方に傾斜させ、突出部に向かって機能水を吐水することで、突出部に着水した機能水は機能水自らの自重で下方に傾斜していき排水口の全周に導くことができる。このように突出部に向かって機能水を吐水することで、機能水を排水口の全周に導くことができることから、少量の機能水であっても除菌ムラが発生することを抑制できる。
【０００８】
本発明において、好ましくは、前記排水口にはフランジが取り付けられており、前記排水蓋の外周である排水蓋外周部は、前記フランジの外周であるフランジ外周部よりも大きいことを特徴とする。このように構成された本発明においては、排水口の製造誤差を無くすためにフランジを設けることは一般的に用いられているが、フランジを設けることでボウル部および排水口との間に隙間ができてしまいその隙間に水が滞留し菌が繁殖しやすい状態になってしまうが、排水蓋の排水蓋外周部をフランジのフランジ外周部よりも大きくすることで、排水蓋から導かれる機能水がフランジとボウル部および排水口の隙間にも供給することが可能であり、排水口およびフランジ全周を除菌することが可能となる。
【０００９】
本発明において、好ましくは、前記機能水吐水部は、前記突出部の中で最も上方に位置する突出部頂点に向かって吐水することを特徴とする。このように構成された本発明においては、突出部頂点に向かって吐水することで、突出部頂点に着水した機能水が排水蓋全周に渡って導き易くなることから、排水口およびフランジ全周を除菌することが可能となる。
【００１０】
本発明において、好ましくは、前記機能水吐水部は、前記機能水吐水部から所定角度にて広がっていくように水滴を噴射することを特徴とする。
このように構成された本発明においては、機能水吐水部から所定角度に広がっていくように水滴を噴射することで、機能水を粒化することができ、排水蓋に着水する最のエネルギーを少なくすることができる。したがって、排水蓋に着水した後に排水蓋外に水跳ねすることを抑制でき、少量の機能水を効果的に排水口およびフランジの全周に導くことができる。
【発明の効果】
【００１１】
本発明によれば、機能水水栓を有する洗面化粧台において、機能水の流量が少ない場合であっても、除菌対象部位に対して満遍なく機能水を供給できることを可能とする洗面化粧台を提供することができる。
【図面の簡単な説明】
【００１２】
【図１】本発明の実施形態による機能水水栓を有する洗面化粧台を斜め上方から見た斜視図である。
【図２】本発明の実施形態による機能水水栓の構成を具体的に説明するための図であり、図２（Ａ）は、この機能水水栓を斜め下方から見た斜視図であり、図２（Ｂ）は、この機能水水栓を図２（Ａ）中のIIＢ−IIＢ線に沿って見た断面図である。
【図３】本発明の実施形態による機能水吐水部の噴霧吐水の原理を説明するための、この機能水吐水部の縦断面図である。
【図４】本発明の実施形態による飲用水吐水部と機能水吐水部とセンサとの配置関係を説明するための、本発明の実施形態による機能水水栓の断面図である。
【図５】本発明の実施形態による機能水水栓の機能構成を概略的に示すブロック図である。
【図６】機能水水栓とボウル部の排水口との位置関係を表す図である。
【図７】機能水吐水部から吐水された機能水の流れを上方側から見た図である。
【図８】機能水吐水部から吐水された機能水の流れを洗面化粧台の断面で表す図である。
【発明を実施するための形態】
【００１３】
まず、図１は、本発明の実施形態による機能水水栓１を有するを適用した洗面化粧台を斜め上方から見た斜視図である。図１に示すように、洗面化粧台５は、主に、人体などの被検知物の検知状態に応じて吐水と吐水の停止とを自動で行う機能水水栓１と、この機能水水栓１から吐水された水を受け止め、排水口４から排水するボウル部３と、排水口４を開閉する排水蓋６と、を有する。
【００１４】
次に、図２乃至図６を参照して、本発明の実施形態による洗面化粧台の詳細について説明する。
【００１５】
図２は、本発明の実施形態による水栓装置の構成を具体的に説明するための図である。図２（Ａ）は、本発明の実施形態による水栓装置を斜め下方から見た斜視図であり、図２（Ｂ）は、この水栓装置を図２（Ａ）中のIIＢ−IIＢ線に沿って見た断面図である。ここでは、本実施形態による機能水水栓１の吐水部付近の構成について主に説明する。
【００１６】
図２（Ａ）に示すように、機能水水栓１は、湾曲した管状部材である吐水管１１を有する。この吐水管１１の先端部には、図２（Ａ）及び図２（Ｂ）に示すように、飲用水吐水口１２ａから泡沫吐水を行うように構成された飲用水吐水部１２と、機能水吐水口１３ａから噴霧吐水（言い換えるとミスト吐水）を行うように構成された、ノズル状の機能水吐水部１３と、被検知物を検知する、赤外線などを利用したセンサ１４と、光を照射する光照射手段（ＬＥＤ（Light Emitting Diode））１５と、が配設されている。具体的には、吐水管１１の先端部には、上から下に向かって、センサ１４、飲用水吐水口１２ａ、光照射手段１５、機能水吐水口１３ａの順に、これらが配設されている。また、吐水管１１の内部には、飲用水吐水部１２に接続されており、飲用水吐水部１２に対して水を供給する飲用水流路１７と、機能水吐水部１３に接続されており、機能水吐水部１３に対して機能水水を供給する機能水流路１８と、が配設されている。
【００１７】
ここで、飲用水吐水部１２は、泡沫吐水として、フィルタにより空気を混ぜて、吐出させる水流に泡を含ませた泡沫状の吐水を行う。他方で、機能水吐水部１３は、噴霧吐水として、機能水吐水口１３ａから所定角度をもって水が広がっていくような、言い換えると機能水吐水口１３ａの断面積（径）よりも広い範囲に水が広がっていくような、霧状の吐水を行う。また、機能水吐水部１３は、飲用水吐水部１２よりも少ない流量で噴霧吐水すると共に、飲用水吐水部１２よりも速い流速で噴霧吐水する。１つの例では、飲用水吐水部１２は、毎分２リットルで水を泡沫吐水し、機能水吐水部１３は、毎分０．３リットルで水を噴霧吐水する。
【００１８】
次に、図３を参照して、本実施形態による機能水吐水部１３の噴霧吐水の原理について説明する。図３は、水の流れ方向に沿って見た、機能水吐水部１３の縦断面図である。
【００１９】
図３に示すように、機能水吐水部１３においては、上端部に設けられた機能水流入口１３ｂから流入した水によって、内部流路１３ｄ内に直進流（矢印Ａ１１参照）が生じると共に、内部流路１３ｄの上端部の外周面に形成されたスリット部１３ｃから流入した水によって、内部流路１３ｄ内に旋回流（矢印Ａ１２参照）が生じる。このような直進流と旋回流との相乗効果によって、内部流路１３ｄの下端部の１つの機能水吐水口１３ａから、フルコーン状に噴霧吐水が行われる。具体的には、機能水吐水口１３ａの断面積（径）よりも大きな範囲に広がって水が吐出される。この場合、機能水吐水口１３ａから吐出角度θにて水が広がって吐出される。上記した飲用水吐水部１２による泡沫吐水では、飲用水吐水口１２ａの断面積（径）とほぼ同じ範囲にて水が吐出されるため、機能水吐水部１３の機能水吐水口１３ａからの吐出角度θは、飲用水吐水部１２の飲用水吐水口１２ａからの吐出角度よりも大きい。
【００２０】
次に、図４を参照して、本実施形態による飲用水吐水部１２と機能水吐水部１３とセンサ１４との配置関係について説明する。図４は、図２（Ｂ）と同様の、本実施形態による機能水水栓１の断面図である。
【００２１】
図４に示すように、本実施形態では、機能水吐水部１３の機能水吐水口１３ａが、飲用水吐水部１２の飲用水吐水口１２ａよりも後方側に配設され、飲用水吐水口１２ａからの水垂れが機能水吐水口１３ａにかからないようにしている。この場合、機能水吐水部１３の機能水吐水口１３ａは、当該機能水吐水口１３ａから噴霧吐水された水が飲用水吐水部１２の飲用水吐水口１２ａにかからないようにも配設されている。加えて、機能水吐水部１３の機能水吐水口１３ａは、ボウル部３の排水蓋６（図４では図示せず）に向かって噴霧吐水するように配設されている。また、本実施形態では、人がそれほど奥にまで手を伸ばさなくてもセンサ１４によって手が適切に検知されるように、センサ１４が、機能水吐水部１３の機能水吐水口１３ａよりも前方側に配設されている。言い換えると、機能水吐水口１３ａがセンサ１４よりも後方側に配設されている。こうすることで、機能水吐水口１３ａから噴霧吐水された水が利用者の腕や体などの濡らしたくない部分にかかりにくくなる。
【００２２】
更に、本実施形態では、センサ１４が機能水吐水部１３の機能水吐水口１３ａから噴霧吐水された水を検知しないような、センサ１４と機能水吐水部１３との向きの関係を採用している。具体的には、センサ１４の検知精度が、センサ１４から離れていくほど低下するので、センサ１４における被検知物の検知に関する検知方向Ａ２３に対応する指向範囲Ｒ１３（センサ１４の検知範囲を含む範囲であり、詳しくは検知範囲を前方に延長した範囲に相当する）が、機能水吐水部１３の吐水範囲Ｒ１１と前方側の離れた位置で交わるような、センサ１４と機能水吐水部１３との向きの関係を採用している。詳しくは、センサ１４の検知方向Ａ２３が機能水吐水部１３の吐水方向Ａ２２から離れていく方向に向くように、センサ１４が配設されている。言い換えると、センサ１４の検知方向Ａ２３に沿ったラインＬ１３（典型的にはセンサ１４の中心軸線に相当する）が、機能水吐水部１３の機能水吐水口１３ａの中心から鉛直方向に延びるラインＬ１２（典型的には機能水吐水部１３の中心軸線に相当する）と前方側で交わらないように、センサ１４が配設されている。
【００２３】
更に、本実施形態では、機能水吐水部１３の機能水吐水口１３ａから噴霧吐水された水が利用者にかかりにくいような、飲用水吐水部１２と機能水吐水部１３との向きの関係を採用している。具体的には、飲用水吐水部１２の吐水方向Ａ２１と機能水吐水部１３の吐水方向Ａ２２とが互いに離れていく方向に向くように、飲用水吐水部１２及び機能水吐水部１３のそれぞれが配設されている。言い換えると、飲用水吐水部１２の飲用水吐水口１２ａの中心から鉛直方向に延びるラインＬ１１（典型的には飲用水吐水部１２の中心軸線に相当する）と、機能水吐水部１３の機能水吐水口１３ａの中心から鉛直方向に延びるラインＬ１２（典型的には機能水吐水部１３の中心軸線に相当する）とが前方側で交わらないように、飲用水吐水部１２及び機能水吐水部１３のそれぞれが配設されている。
【００２４】
次に、図５を参照して、本発明の実施形態による水栓装置の機能構成について説明する。図５は、本発明の実施形態による水栓装置の機能構成を概略的に示すブロック図である。
【００２５】
図５に示すように、本実施形態による機能水水栓１は、上記した飲用水流路１７及び機能水流路１８（図２等参照）の両方の上流側に共通流路２１が接続されている。この共通流路２１には、一般的な水道水（都市水）などの通常の水（本明細書では、この水を電解水と区別するために適宜「通常水」と表記する。）が供給される。共通流路２１上には、上流側から順に、共通流路２１における通常水の流通を遮断するための止水栓２２、通常水に混ざり込んだ異物などを取り除くフィルタ２３、二次側の流量を一定に保つ定流量弁２４が設けられており、共通流路２１の下流端において飲用水流路１７と機能水流路１８とに分岐している。
【００２６】
飲用水流路１７には、開閉することにより、当該飲用水流路１７における通常水の流通と遮断とを切り替える第１の電磁弁２５が設けられている。この第１の電磁弁２５が開弁している場合には、飲用水流路１７に通常水が流れて、飲用水流路１７の下流端に接続された飲用水吐水部１２から通常水が泡沫吐水される。
【００２７】
他方で、機能水流路１８には、上流側から順に、第２の電磁弁２８、調圧弁２９、安全弁３０、逆止弁３５、電解槽３７（機能水供給部）が設けられている。第２の電磁弁２８は、開閉することにより、機能水流路１８における通常水の流通と遮断とを切り替える。この第２の電磁弁２８が開弁している場合には、機能水流路１８に通常水が流れて、機能水流路１８の下流端に接続された機能水吐水部１３から噴霧吐水が行われる。調圧弁２９は、水圧を所望の圧力（噴霧吐水を行うのに適した圧力）に調節する弁である。安全弁３０は、機能水流路１８内の圧力が所定圧以上となった場合（例えば機能水吐水口１３ａが塞がれて機能水流路１８の圧力が急上昇した場合）に開弁し、機能水流路１８内の水をバイパス流路３１を介して飲用水流路１７に流して、機能水流路１８内の圧力を減圧させる弁である。逆止弁３５は、水の逆流を防止する弁である。電解槽３７は、通電されることにより、通常水を電気分解して電解水を生成する。なお、電解槽３７の下流側に、フィルタを更に設けてもよい。
【００２８】
また、機能水水栓１は、機能水水栓１内の構成部を制御するコントローラ４０（制御部）を更に有する。制御部は、ＡＣ電源３９からの電力によって作動すると共に、ＡＣ電源３９の電力を、センサ１４、光照射手段１５、第１の電磁弁２５、第２の電磁弁２８、及び電解槽３７のそれぞれに供給する制御を行う。具体的には、コントローラ４０は、センサ１４による被検知物の検知状態を示すセンサ信号を取得し、このセンサ信号に基づいて、光照射手段１５のオン／オフを切り替える制御、第１の電磁弁２５の開閉を切り替える制御、第２の電磁弁２８の開閉を切り替える制御、及び、電解槽３７による電解水の生成の実行／停止を切り替える制御を行う。
【００２９】
ここで、電解槽３７によって生成される機能水について説明する。
【００３０】
本実施形態で用いる機能水としては、電気分解によって得られる除菌機能を有する水であれば何でもよい。機能水の代表的なものとして次亜塩素酸を含有する機能水が挙げられる。一般に上水又は中水は塩素イオンを含有するため、電気分解により遊離塩素が生成される。遊離塩素は、酸性では次亜塩素酸（ＨＣｌＯ）として存在し、この形態ではアルカリ性での存在形態である次亜塩素酸イオン（ＣｌＯ - ）と比較して約１０倍殺菌力が強い。また、中性でもその中間程度の強力な殺菌力が得られる。従って、連続式電気分解槽で電気分解された水は、強力な殺菌力を有する殺菌水となっている。
【００３１】
上述したように一般的に利用されている上水又は中水は塩素イオンを含有しているが、塩素イオン濃度が低い地域で利用する場合や、強力な殺菌作用が必要な場合には、食塩などの塩化物を添加することで塩素イオンを補うことができる。
【００３２】
塩素発生に用いられる電極としては、導電性基材に塩素発生用触媒を担持したものか、塩素発生用触媒からなる導電性材料が利用される。塩素発生用触媒の種類により、例えば、フェライト等の鉄系電極、パラジウム系電極、ルテニウム系電極、イリジウム系電極、白金系電極、ルテニウム−スズ系電極、パラジウム−白金系電極、イリジウム−白金系電極、ルテニウム−白金系電極、イリジウム−白金−タンタル系電極等がある。導電性基材に塩素発生用触媒を担持したものは、構造を担う基材部を安価なチタン、ステンレス等の材料で構成できるので、製造コスト上有利である。
【００３３】
塩素以外に、ハロゲンイオンを含有する水を電気分解することによって得られる次亜ハロゲン酸であってもよい。
【００３４】
その他の機能水としては、電極として銀を利用することで得られる銀イオン水を挙げることができる。銀イオンは、細菌の細胞膜にある酵素に吸着し、酵素の作用を阻害するため、細菌が生命維持できなくなると言われている。接触する基材表面をコートする作用もあり、細菌が基材表面で繁殖しにくくなる。銀イオンは基材表面をコートして、細菌の付着を防ぐことができ、かつ殺菌力を有しているため、基材表面での細菌の増殖を効果的に抑制できる。その際、排水トラップの置換率を高める洗浄方法と組み合わせることで、長期間、排水口のぬめりや匂いを抑制することが可能となる。
【００３５】
その他、特に電気分解用の電極として二酸化鉛（β型）を用いることにより陽極側で酸素の発生と共に高濃度のオゾンを発生させるオゾン水など、様々な種類の機能水を好適に用いることが可能である。
【００３６】
更に、機能水以外の除菌水としては、各種の除菌成分を溶解させた水溶液が挙げられる。溶解される除菌成分としては、固体、液体、気体の何れを用いてもよい。液体の除菌成分を用いる場合には、例えば、エタノールや、イソプロパノールなどのアルコール類や、過酸化水素などを適用すればよい。また、気体の除菌成分を用いる場合には、例えば、オゾンを微細気泡として水中に溶解させることでオゾン水を作り出せばよい。また、固体の除菌成分を用いる場合には、例えば次亜塩素酸ナトリウムなどを適用すればよい。
【００３７】
ここで、本明細書においては、「除菌」の文言は、菌を減らす意味だけでなく（この場合、菌を除去して減らす意味だけなく、菌を殺して減らす意味も含まれる）、菌を減らさないまでも菌の増殖を抑制する意味も含む広義の概念として用いている。本発明における「機能水」は、このような意味での除菌機能を、所定の処理によって通常の水に対して付加した水を意味するものとする。
【００３８】
次に図６を参照して、機能水水栓とボウル部の排水口との位置関係について説明する。
【００３９】
ボウル部３には、ボウル部３内の水をボウル部３の外部に排出するための排水口４と、排水口４の開閉可能とするための排水蓋６と、ボウル部３と排水口４との水密性を確保するためのフランジ７とが設けられている。
【００４０】
排水蓋６は、排水蓋６の上面が上方に突出するよう突出部６ａを有している。さらに排水蓋６は、突出部６ａの最も上方に位置する突出部頂点から外方に向かって下り傾斜するよう構成されている（外方とは、水平方向において突出部から離れる方向である）。
【００４１】
排水蓋６の最も外側の排水蓋外周部６ｃは、フランジ７の最も外側のフランジ外周部７ａよりも大きくなるように構成されている。
【００４２】
図７および図８を参照して、機能水吐水部１３から吐水された機能水の流れを説明する。
図７は機能水吐水部から吐水された機能水の流れを上方側から見た図である。図８は機能水吐水部から吐水された機能水の流れを洗面化粧台の断面で表す図である。
【００４３】
機能水水栓１の機能水吐水部１３から吐水される機能水（図７及び図８の一点鎖線）は排水蓋６に向けて吐水される。排水蓋６の突出部６ａに着水した機能水（ＷＬ）は突出部６ａから外周に向けて流れる。排水蓋外周部６ｃに到達した機能水（ＷＬ）はボウル部３およびフランジ７に落下する。
【００４４】
上述したように排水蓋６に着水した機能水は排水蓋６の表面に沿って、機能水の自重により落下することになる。この時、排水蓋６の突出部６ａの最も上方に位置する突出部頂点に向かって機能水を吐水することで、突出部頂点に着水した機能水は、突出部頂点から全周にわたって落下することになる（図７）。このように排水蓋６の全周にわたって機能水を導くことが可能であるため、排水口４およびフランジ７の全周に少量の機能水を導くことが可能となる。
【００４５】
また、排水蓋外周部６ｃがフランジ外周部７ａよりも大きくなるように構成することで、ボウル部３とフランジ７との隙間にも確実に機能水を導くことができる。
【００４６】
さらに、機能水吐水部１３から所定角度にて広がっていくように水滴を噴射することで、機能水を粒化することができ、排水蓋に着水する最のエネルギーを少なくすることができる。したがって、排水蓋に着水した後に排水蓋外に水跳ねすることを抑制でき、少量の機能水を効果的に排水口およびフランジの全周に導くことができる。
【００４７】
以上、本発明の実施形態について説明した。しかし、本発明はこれらの記述に限定されるものではない。前述の実施形態に関して、当業者が適宜設計変更をくわえたものも、本発明の特徴を備えている限り、本発明の範囲に包含される。例えば、機能水水栓１については、自動で吐止水する自動水栓装置を実施形態に挙げたが、使用者が使用する度に操作する水栓装置であってもよい。
また、飲用水吐水部１２と機能水吐水部１３とを有する１つの機能水水栓１を実施形態に挙げたが、飲用水吐水部１２を有する水栓装置と飲用水吐水部１２を有する水栓装置とは別の水栓装置に機能水吐水部１３を設けてもよい。すなわち、飲用水吐水部１２と機能水吐水部１３とを有する１の水栓装置だけでなく、別々の水栓装置の形態も本発明の範囲に包含される。
【符号の説明】
【００４８】
１    機能水水栓  
３    ボウル部  
４    排水口
５    洗面化粧台
６    排水蓋
６ａ  突出部
６ｂ  突出部頂点
６ｃ  排水蓋外周部
７    フランジ
７ａ  フランジ外周部
１１  吐水管
１２  飲用水吐水部
１２ａ  飲用水吐水口
１３  機能水吐水部
１３ａ  機能水吐水口
１４  センサ
１５  光照射手段（ＬＥＤ）
１７  飲用水流路
１８  機能水流路
２１  共通流路
２５  第１の電磁弁
２８  第２の電磁弁
３７  電解槽（機能水供給部）
４０  コントローラ（制御部）
【図１】
2017082475.tif 000003
【図２】
2017082475.tif 000004
【図３】
2017082475.tif 000005
【図４】
2017082475.tif 000006
【図５】
2017082475.tif 000007
【図６】
2017082475.tif 000008
【図７】
2017082475.tif 000009
【図８】
2017082475.tif 000010